【手続補正書】
【提出日】平成22年7月26日(2010.7.26)
【手続補正１】
【補正対象書類名】特許請求の範囲
【補正対象項目名】全文
【補正方法】変更
【補正の内容】
【特許請求の範囲】
【請求項１】
複数の走査線と、
複数のデータ線と、
前記複数の走査線に対応して設けられた複数のコモン電極と、
前記複数の走査線と前記複数のデータ線との交差に対応して設けられ、
各々は、
一端が前記データ線に接続されるとともに、前記走査線が選択されたときに前記一端と他端との間でオン状態となる画素スイッチング素子と、
一端が前記画素スイッチング素子の他端に接続され、他端が前記コモン電極に接続された画素容量と、
を含む画素と、
を有する電気光学装置の駆動回路であって、
前記複数の走査線を所定の順番で選択する走査線駆動回路と、
前記コモン電極の各々に対応して第１トランジスタ、第２トランジスタおよび補助トランジスタを有し、
一のコモン電極に対応する前記第１トランジスタのソース電極は、第１電圧を給電する第１給電線に接続され、
前記一のコモン電極に対応する前記第２トランジスタのソース電極は、前記第１電圧よりも高位の第２電圧を給電する第２給電線に接続され、
前記一のコモン電極に対応する前記補助トランジスタは、そのゲート電極が当該一のコモン電極に対応する前記走査線に接続され、そのソース電極が第３給電線に接続され、
前記一のコモン電極に対応する前記第１トランジスタ、前記第２のトランジスタおよび前記補助トランジスタのドレイン電極同士が当該一のコモン電極に接続されて、
前記一のコモン電極に対し、
当該一のコモン電極に対応する走査線が選択される期間に、当該選択される走査線に対応する画素に前記画素電極が前記コモン電極の電位よりも高位側となる正極性が指定されたとき、前記第１トランジスタがオン状態となって、前記第１給電線を介して前記第１電圧を印加するとともに、前記補助トランジスタがオン状態になって、前記第３給電線を介して前記第１電圧を印加し、当該走査線の選択終了後において前記第１トランジスタのオン状態を維持し、
当該一のコモン電極に対応する走査線が選択される期間に、当該選択される走査線に対
応する画素に前記画素電極が前記コモン電極の電位よりも低位側となる負極性が指定されたとき、前記第２トランジスタがオン状態となって、前記第２給電線を介して前記第２電圧を印加するとともに、前記補助トランジスタがオン状態になって、前記第３給電線を介して前記第２電圧を印加し、当該走査線の選択終了後において前記第２トランジスタのオン状態を維持するコモン電極駆動回路と、
選択された前記走査線に対応する画素に対し、当該画素の階調および極性に応じた電圧のデータ信号を、前記データ線を介して供給するデータ線駆動回路と、
を具備することを特徴とする電気光学装置の駆動回路。
【請求項２】
前記コモン電極の各々に対応して設けられた複数の検出トランジスタと、
オペアンプと、
を有し、
一のコモン電極に対応する前記検出トランジスタは、そのゲート電極が、当該一のコモン電極に対応する走査線に接続され、そのソース電極が当該一のコモン電極に接続され、
前記オペアンプは、
当該選択される走査線に対応する画素に正極性が指定されたとき、当該選択される走査線に対応するコモン電極が前記第１電圧となるように制御し、当該選択される走査線に対応する画素電極に負極性が指定されたとき、当該選択される走査線に対応するコモン電極が前記第２電圧となるように制御する
ことを特徴とする請求項１に記載の電気光学装置の駆動回路。
【請求項３】
前記複数の画素が配列する領域に対して、前記検出線と第３給電線とを同じ側に設けた
ことを特徴とする請求項２に記載の電気光学装置の駆動回路。
【請求項４】
前記複数の画素が配列する領域の一端側に前記検出線を、前記領域の他端側に前記第３給電線を、それぞれ設けた
ことを特徴とする請求項３に記載の電気光学装置の駆動回路。
【請求項５】
前記コモン電極駆動回路は、
前記コモン電極の各々に対応して、さらに第３トランジスタおよび第４トランジスタを有し、
一のコモン電極に対応する前記第３トランジスタは、そのゲート電極が、当該一のコモン電極に対応する走査線に接続され、そのソース電極がオンまたはオフ電圧のいずれか一方を給電する第１信号線に接続され、そのドレイン電極が当該一のコモン電極に対応する前記第１トランジスタのゲート電極に接続され、
一のコモン電極に対応する前記第４トランジスタは、そのゲート電極が、当該一のコモン電極に対応する走査線に接続され、そのソース電極がオンまたはオフ電圧のいずれか他方を給電する第２信号線に接続され、そのドレイン電極が当該一のコモン電極に対応する前記第２トランジスタのゲート電極に接続された
ことを特徴とする請求項１に記載の電気光学装置の駆動回路。
【請求項６】
複数の走査線と、
複数のデータ線と、
前記複数の走査線に対応して設けられた複数のコモン電極と、
前記複数の走査線と前記複数のデータ線との交差に対応して設けられ、
各々は、
一端が前記データ線に接続されるとともに、前記走査線が選択されたときに前記一端と他端との間でオン状態となる画素スイッチング素子と、
一端が前記画素スイッチング素子の他端に接続され、他端が前記コモン電極に接続された画素容量と、
を含む画素と、
前記複数の走査線を所定の順番で選択する走査線駆動回路と、
前記コモン電極の各々に対応して第１トランジスタ、第２トランジスタおよび補助トランジスタを有し、
一のコモン電極に対応する前記第１トランジスタのソース電極は、第１電圧を給電する第１給電線に接続され、
前記一のコモン電極に対応する前記第２トランジスタのソース電極は、前記第１電圧よりも高位の第２電圧を給電する第２給電線に接続され、
前記一のコモン電極に対応する前記補助トランジスタは、そのゲート電極が当該一のコモン電極に対応する前記走査線に接続され、そのソース電極が第３給電線に接続され、
前記一のコモン電極に対応する前記第１トランジスタ、前記第２のトランジスタおよび前記補助トランジスタのドレイン電極同士が当該一のコモン電極に接続されて、
前記一のコモン電極に対し、
当該一のコモン電極に対応する走査線が選択される期間に、当該選択される走査線に対応する画素に前記画素電極が前記コモン電極の電位よりも高位側となる正極性が指定されたとき、前記第１トランジスタがオン状態となって、前記第１給電線を介して前記第１電圧を印加するとともに、前記補助トランジスタがオン状態になって、前記第３給電線を介して前記第１電圧を印加し、当該走査線の選択終了後において前記第１トランジスタのオン状態を維持し、
当該一のコモン電極に対応する走査線が選択される期間に、当該選択される走査線に対応する画素に前記画素電極が前記コモン電極の電位よりも低位側となる負極性が指定されたとき、前記第２トランジスタがオン状態となって、前記第２給電線を介して前記第２電圧を印加するとともに、前記補助トランジスタがオン状態になって、前記第３給電線を介して前記第２電圧を印加し、当該走査線の選択終了後において前記第２トランジスタのオン状態を維持するコモン電極駆動回路と、
選択された前記走査線に対応する画素に対し、当該画素の階調および極性に応じた電圧のデータ信号を、前記データ線を介して供給するデータ線駆動回路と、
を具備することを特徴とする電気光学装置。
【請求項７】
請求項６に記載の電気光学装置を有することを特徴とする電子機器。